(57)【要約】【課題】足浴中、足浴槽内の薬剤溶液が常に適度な温度を保ち、且つマッサージを具えることにより効果をより高める薬剤溶液加熱及び足裏マッサージ機フットバスを提供する。【解決手段】薬剤溶液加熱及び足裏マッサージ機能付フットバスは、フットバス桶と称されて下方の加熱槽、上方の足浴槽及び内部のマッサージ台を含む。その加熱槽内部には電熱管が設置され、足浴槽内の薬剤溶液を加熱し、足浴槽内壁には複数個の凸粒を具えたマッサージマットが設置され、外部は断熱マットが覆い、火傷を防止する。このマッサージ台は複数の棘凸を備えたマッサージローラーが設置され、マッサージ台には予め開口が形成されてそこから足を足浴槽に入れる。【選択図】図２
0003120737.tif 000002
【実用新案登録請求の範囲】
【請求項１】
少なくとも加熱槽と足浴槽を含む薬剤溶液加熱及び足裏マッサージ機能付フットバスにおいて、そのうち、
内部に電熱管が設置され、外部に電源線、スイッチと温度調節器が設置されて足浴槽内の薬剤溶液と水を加熱する加熱槽と、
加熱槽上方に設置し、薬剤溶液と水が入り、内壁にはマッサージマットが設置され、そのマッサージマットには複数個の凸粒が設置される足浴槽から構成されることを特徴とする薬剤溶液加熱及び足裏マッサージ機能付フットバス。
【請求項２】
請求項１記載の薬剤溶液加熱及び足裏マッサージ機能付フットバスにおいて、前記足浴槽は、外部に断熱マットを設置して覆うことを特徴とする薬剤溶液加熱及び足裏マッサージ機能付フットバス。
【請求項３】
請求項１記載の薬剤溶液加熱及び足裏マッサージ機能付フットバスにおいて、前記足浴槽は、内部にマッサージ台が設置され、そのマッサージ台には複数列のマッサージローラーが設置され、そのマッサージローラーには複数個の棘凸が設置され、内部の薬剤溶液と水はマッサージ台のマッサージローラーより水位が低いことを特徴とする薬剤溶液加熱及び足裏マッサージ機能付フットバス。
【請求項４】
請求項３記載の薬剤溶液加熱及び足裏マッサージ機能付フットバスにおいて、前記足浴槽の薬剤溶液と水は、マッサージ台のマッサージローラーより水位が高いことを特徴とする薬剤溶液加熱及び足裏マッサージ機能付フットバス。
【請求項５】
請求項３記載の薬剤溶液加熱及び足裏マッサージ機能付フットバスにおいて、前記マッサージ台は、予め開口を形成し、そこから足を足浴槽に入れることを特徴とする薬剤溶液加熱及び足裏マッサージ機能付フットバス。
【考案の詳細な説明】
【技術分野】
【０００１】
本考案は、薬剤溶液加熱及び足裏マッサージ機能付フットバスに関するもので、足浴中、足浴槽内の薬剤溶液が常に適度な温度を保ち、且つマッサージを具えることにより効果をより高めるものである。
【背景技術】
【０００２】
公知のフットバスは、効能を具えた薬剤溶液を加熱した後、フットバス桶に注ぎいれ、使用者はそこに足を入れる。それによって血液の循環を促し、痛み等を和らげる。
【考案の開示】
【考案が解決しようとする課題】
【０００３】
本考案は、薬剤溶液を入れたお湯を加熱する機能を具えていないため、脚を入れた後、徐々に温度は下がってしまう点である。他に足裏をマッサージする機能を具えていないため、効果が半減してしまう点である。
【０００４】
本考案は、フットバス桶と称されて下方の加熱槽、上方の足浴槽及び内部のマッサージ台を含む。その加熱槽内部には電熱管が設置され、足浴槽内の薬剤溶液を加熱し、足浴槽内壁には複数個の凸粒を具えたマッサージマットが設置され、外部は断熱マットが覆い、火傷を防止する。このマッサージ台は複数の棘凸を備えたマッサージローラーが設置され、マッサージ台には予め開口が形成されてそこから足を足浴槽に入れることを最も主要な特徴とする。
【課題を解決するための手段】
【０００５】
請求項１の考案は、少なくとも加熱槽と足浴槽を含む薬剤溶液加熱及び足裏マッサージ機能付フットバスにおいて、そのうち、
内部に電熱管が設置され、外部に電源線、スイッチと温度調節器が設置されて足浴槽内の薬剤溶液と水を加熱する加熱槽と、
加熱槽上方に設置し、薬剤溶液と水が入り、内壁にはマッサージマットが設置され、そのマッサージマットには複数個の凸粒が設置される足浴槽から構成されることを特徴とする薬剤溶液加熱及び足裏マッサージ機能付フットバスとしている。
請求項２の考案は、請求項１記載の薬剤溶液加熱及び足裏マッサージ機能付フットバスにおいて、前記足浴槽は、外部に断熱マットを設置して覆うことを特徴とする薬剤溶液加熱及び足裏マッサージ機能付フットバスとしている。
請求項３の考案は、請求項１記載の薬剤溶液加熱及び足裏マッサージ機能付フットバスにおいて、前記足浴槽は、内部にマッサージ台が設置され、そのマッサージ台には複数列のマッサージローラーが設置され、そのマッサージローラーには複数個の棘凸が設置され、内部の薬剤溶液と水はマッサージ台のマッサージローラーより水位が低いことを特徴とする薬剤溶液加熱及び足裏マッサージ機能付フットバスとしている。
請求項４の考案は、請求項３記載の薬剤溶液加熱及び足裏マッサージ機能付フットバスにおいて、前記足浴槽の薬剤溶液と水は、マッサージ台のマッサージローラーより水位が高いことを特徴とする薬剤溶液加熱及び足裏マッサージ機能付フットバスとしている。
請求項５の考案は、請求項３記載の薬剤溶液加熱及び足裏マッサージ機能付フットバスにおいて、前記マッサージ台は、予め開口を形成し、そこから足を足浴槽に入れることを特徴とする薬剤溶液加熱及び足裏マッサージ機能付フットバスとしている。
【考案の効果】
【０００６】
本考案の薬剤溶液加熱及び足裏マッサージ機能付フットバスは、上述の問題を解決する。先ず、フットバス桶は、足浴槽下方に加熱槽を設置し、加熱槽の電熱管が足浴槽内の薬剤溶液を加熱し、適度な温度を保つという利点がある。次にフットバス桶は、足浴槽内壁に複数個の凸粒を具えたマッサージマットを設置し、使用者が足浴しながら、足裏マッサージを行う。また同時に足浴槽外部は電熱マットで覆い、火傷を防止する。別に足浴槽内部にマッサージ台を設置し、そのマッサージ台は複数の棘凸を具えたマッサージローラーを設置する以外に、予め開口を形成し、そこから足を足浴槽に入れ、使用者が足浴する時、マッサージ台上のマッサージローラーで足裏マッサージを行う他に効果がより高まるという利点がある。
【考案を実施するための最良の形態】
【０００７】
本考案は、（参照図１，２の実施例一、二の立体組立表示図、図３の実施例一、二の立体分解表示図、図４，５の実施例一、二の断面組立表示図）主にフットバス桶が加熱槽１０、足浴槽２０、マッサージ台３０から構成される。
【０００８】
加熱槽１０は、上方に開口に足浴槽２０を設置する。加熱槽１０内部には電熱管１１が設置され、その加熱槽１０外部に電源線１２、スイッチ１３及び温度調節器１４が設置され、足浴槽２０内の薬剤溶液と水を加熱する。
【０００９】
足浴槽２０には、薬剤溶液もしくは水を入れる。この足浴槽２０は、加熱槽１０の上方開口箇所に設置する。その足浴槽２０内部にはマッサージマット２１が設置され、そのマッサージマット２１には複数個の凸粒２２を設置して足裏を浸した時にマッサージの役割をする。この足浴槽２０外部は、断熱マット２３で覆われ、火傷を防止する。足浴槽２０内部にはマッサージ台３０を設置する。
【００１０】
このマッサージ台３０には、複数列のマッサージローラー３１が設置される。そのマッサージローラー３１には複数個の棘凸３２がされ、それが足裏を浸した時にマッサージの役割をする。マッサージ台３０には予め開口３３が形成され（図２，３，５，７，８，９の実施例二参照）、使用者の足を開口３３から足浴槽２０に入れる。 
【００１１】
本考案は上述の部品を組み立てるが、実際の操作は下述のとおりである。
図６に示すとおり、使用者は足裏をマッサージ台３０上に設置された複数個のマッサージローラー３１の棘凸３２に直接置く。そして足を前後させてローラーを回転させ、マッサージ効果を得る。
【００１２】
図７，８に示すとおり、使用者は足浴槽２０内に薬剤溶液もしくは水を入れ、加熱槽１０の電熱管１２を動かすと、足浴槽２０内の薬剤溶液が加熱される。使用者は足裏をマッサージ台３０のマッサージローラー３１の棘凸３２に置き、前後させてローラーを回転させ、足裏マッサージ効果と足浴の二重効果を得る。
【００１３】
図９に示すとおり、使用者はマッサージ台３０の開口３３から足を足浴槽２０内に入れて足浴を行い、且つ足浴槽２０内壁のマッサージマット２１上の凸粒２２に足を置いて、足裏マッサージを行う。
【図面の簡単な説明】
【００１４】
【図１】本考案の実施例一の立体組立表示図である。
【図２】本考案の実施例二の立体組立表示図である。
【図３】本考案実施例一、二の立体分解表示図である。
【図４】本考案実施例一の断面組立表示図である。
【図５】本考案実施例二の断面組立表示図である。
【図６】本考案実施例二のマッサージ使用状態表示図である。
【図７】本考案実施例一の足浴兼マッサージ使用状態表示図である。
【図８】本考案実施例二の足浴兼マッサージ使用状態表示図である。
【図９】本考案実施例二の足浴兼マッサージの別の使用状態表示図である。
【符号の説明】
【００１５】
１０        加熱槽
１１        電熱管
１２        電源線
１３        スイッチ
１４        温度調節器
２０        足浴槽
２１        マッサージマット
２２        凸粒
２３        断熱マット
３０        マッサージ台
３１        マッサージローラー
３２        棘凸
３３        開口
【図１】
0003120737.tif 000003
【図２】
0003120737.tif 000004
【図３】
0003120737.tif 000005
【図４】
0003120737.tif 000006
【図５】
0003120737.tif 000007
【図６】
0003120737.tif 000008
【図７】
0003120737.tif 000009
【図８】
0003120737.tif 000010
【図９】
0003120737.tif 000011